(57)【要約】【課題】握り易く、腕とロッドが直線状になって正確なラインでキャスティングすることができるフライロッド用グリップを提供するものである。【解決手段】グリップ２の断面形状が楕円形状をなし、その長軸が上下方向になるように形成されていると共に、グリップ先端の断面積をＳ１、グリップ中間部の断面積をＳ２、グリップ手元側の断面積をＳ３とすると、Ｓ２＜Ｓ１＜Ｓ３となるように形成され、ロッド３の軸中心線４が、グリップ先端の中心とグリップ手元側中心を結ぶ線５に対して、先端側が下向きに傾斜するようにロッド２が取付けられているものである。【選択図】　図１
2004057053.tif 000002
【特許請求の範囲】
【請求項１】
グリップの断面形状が楕円形状をなし、その長軸が上下方向になるように形成されて、ロッドの軸中心線が、グリップ先端の中心とグリップ手元側中心を結ぶ線に対して、先端側が下向きに傾斜するようにロッドが取付けられていることを特徴とするフライロッド用グリップ。
【請求項２】
グリップの断面形状が楕円形状をなし、その長軸が上下方向になるように形成されていると共に、グリップ先端の断面積をＳ１、グリップ中間部の断面積をＳ２、グリップ手元側の断面積をＳ３とすると、Ｓ２＜Ｓ１＜Ｓ３となるように形成され、ロッドの軸中心線が、グリップ先端の中心とグリップ手元側中心を結ぶ線に対して、先端側が下向きに傾斜するようにロッドが取付けられていることを特徴とするフライロッド用グリップ。
【発明の詳細な説明】
【０００１】
【発明の属する技術分野】
本発明はフライロッド用グリップ構造の改良に関するものである。
【０００２】
【従来の技術】
従来のフライロッド１のグリップ２は、図４および図５に示すように断面が円形状をなし、グリップ２の軸中心をロッド３の軸中心線４に一致させた構造をなしている。ロッドキャストにおいては腕６とロッド３が直線状になることが理想であるが、従来のグリップ２では、図６に示すように、腕６を水平に伸ばした状態では、グリップ２の握りが斜め上方になるため、直線状になるように握りを変えたり手首を前に倒す（ダウンリスト）などしてコントロールしなければならなかった。
【０００３】
また従来のグリップ２は、その断面形状が円形であるため、手８が汗ばむと握りが不安定になり、ロッド３の上面に取付けた横方向の曲がり止めとなるスプライン７が回転してロッド３が捩れ、ラインが乱れて正確なキャスティングができない欠点があった。
【０００４】
【発明が解決しようとする課題】
本発明は上記問題を改善し、握り易く、腕とロッドが直線状になって正確なラインでキャスティングすることができるフライロッド用グリップを提供するものである。
【０００５】
【課題を解決するための手段】
本発明の請求項１記載のフライロッド用グリップは、グリップの断面形状が楕円形状をなし、その長軸が上下方向になるように形成されて、ロッドの軸中心線が、グリップ先端の中心とグリップ手元側中心を結ぶ線に対して、先端側が下向きに傾斜するようにロッドが取付けられていることを特徴とするものである。
【０００６】
本発明の請求項２記載のフライロッド用グリップは、グリップの断面形状が楕円形状をなし、その長軸が上下方向になるように形成されていると共に、グリップ先端の断面積をＳ１、グリップ中間部の断面積をＳ２、グリップ手元側の断面積をＳ３とすると、Ｓ２＜Ｓ１＜Ｓ３となるように形成され、ロッドの軸中心線が、グリップ先端の中心とグリップ手元側中心を結ぶ線に対して、先端側が下向きに傾斜するようにロッドが取付けられていることを特徴とするものである。
【０００７】
【発明の実施の形態】
以下本発明の実施の一形態を図１ないし図３を参照して詳細に説明する。このフライロッド１は、グリップ２の断面形状が図１および図２に示すように楕円形状をなし、その長軸が上下方向になるように形成されている。またグリップ２は先端の断面積をＳ１、グリップ中間部の断面積をＳ２、グリップ手元側の断面積をＳ３とすると、Ｓ２＜Ｓ１＜Ｓ３となるように形成され、中間部がくびれた構造になっている。またロッド３の軸中心線４は、グリップ先端の中心とグリップ手元側中心を結ぶ線５に対して、先端側が下向きに傾斜するようにロッド３が取付けられている。またロッド３の上部には横方向の曲がり止めとなるスプライン７が取付けられている。
【０００８】
上記構成のフライロッド１は、グリップ２の断面形状が楕円形状をなし、その長軸が上下方向になるように形成されているので、手９で握った時に回転せず、特に汗ばんできて滑り易くなっても確実に保持して回転を防止することができる。またグリップ２は先端の断面積をＳ１、グリップ中間部の断面積をＳ２、グリップ手元側の断面積をＳ３とすると、Ｓ２＜Ｓ１＜Ｓ３となるように形成され、中間部がくびれた構造になっているので、キャスティングする時に、手８からグリップ２が抜けだすのを防止することができる。
【０００９】
またロッド３の軸中心線４は、グリップ先端の中心とグリップ手元側中心を結ぶ線５に対して、先端側が下向きに傾斜するようにロッド３が取付けられているので、ロッド３を手８で握って腕６を水平に伸ばした時に、図３に示すようにロッド３が腕６と直線状になり、従来のように握りを変えたり手首を前に倒すなどコントロールする必要がなく、正確なラインでキャスティングすることができる。
【００１０】
【発明の効果】
以上説明した如く本発明に係る請求項１記載のフライロッド用グリップによれば、グリップの断面形状が楕円形状をなし、その長軸が上下方向になるように形成されているので、手で握った時に確実に保持して回転を防止することができる。またグリップは中間部がくびれた構造になっているので、キャスティングする時にグリップが手から抜けだすのを防止できる。またロッドの軸中心線は、グリップ先端の中心とグリップ手元側中心を結ぶ線に対して、先端側が下向きに傾斜するようにロッドが取付けられているので、ロッドと腕と直線状になり、正確なラインでキャスティングすることができる。
【００１１】
また請求項２記載のフライロッド用グリップによれば、グリップは先端の断面積をＳ１、グリップ中間部の断面積をＳ２、グリップ手元側の断面積をＳ３とすると、Ｓ２＜Ｓ１＜Ｓ３となるように形成され、手元側が太く、中間部がくびれた構造になっているので、キャスティングした時に、グリップが手から抜けだすのを防止することができる。
【図面の簡単な説明】
【図１】本発明の実施の一形態によるフライロッド用グリップの断面図である。
【図２】（Ａ）は図１のＡーＡ線断面図、（Ｂ）は図１のＢーＢ線断面図、（Ｃ）は図１のＣーＣ線断面図である。
【図３】フライロッドのグリップを握った状態を示す側面図である。
【図４】従来のフライロッド用グリップを示す断面図である。
【図５】（Ａ）は図４のＤーＤ線断面図、（Ｂ）は図４のＥーＥ線断面図である。
【図６】図４に示すフライロッドのグリップを握った状態を示す側面図である。
【符号の説明】
１　フライロッド
２　グリップ
３　ロッド
４　軸中心線
５　線
６　腕
７　スプライン
８　手
【図１】
2004057053.tif 000003
【図２】
2004057053.tif 000004
【図３】
2004057053.tif 000005
【図４】
2004057053.tif 000006
【図５】
2004057053.tif 000007
【図６】
2004057053.tif 000008